(57)【要約】【課題】テープを記録媒体とする装置との互換性を保ちつつ、収録された映像を容易に管理できる映像記録装置を提供する。【解決手段】装置制御部２１は、入力映像と当該映像の属するグループの指定とを受け付け、メディアコントローラ２５によりメモリパック６に入力映像を収録させる。映像管理部２９は、上記収録された映像に対応付けて、指定されたグループを表す情報とそのグループにおける当該映像の収録順序を表す情報とを管理情報としてメディアコントローラ２５によりメモリパック６に記録する。装置制御部２１は、再生対象グループの指定を受け付けると、メモリパック６に記録された管理情報に基づいて再生対象グループに属する映像を収録順序にしたがって映像再生部２４により再生させる。【選択図】図２
2009123293.tif 000002
【特許請求の範囲】
【請求項１】
ランダムアクセス可能な記録媒体と、
被収録素材と当該素材の属するグループの指定を受け付ける受付手段と、
前記被収録素材に対応付けて、前記指定されたグループを表す情報とそのグループにおける当該素材の収録順序を表す情報とを管理情報として管理する管理手段と、
前記被収録素材および前記管理情報を前記記録媒体に収録する収録手段と、
再生対象のグループの指定を受け付け、前記記録媒体に収録された管理情報に基づいて前記指定されたグループに属する素材を収録順序にしたがって再生する再生手段と
を具備することを特徴とする映像記録装置。
【請求項２】
前記管理手段は、さらに前記グループ毎に予め割り当てられた記録容量を表す情報を前記管理情報とし、前記記録媒体に記録された管理情報に基づいて前記入力素材を前記指定されたグループに割り当てられた記録容量に達するまで前記収録手段に収録させることを特徴とする請求項１記載の映像記録装置。
【請求項３】
前記管理手段は、前記入力素材の収録中に前記指定されたグループに割り当てられた記録容量に達した場合に、新たなグループを作成して前記収録手段に収録させることをさらに特徴とする請求項２記載の映像記録装置。
【請求項４】
前記管理手段は、さらに前記グループ毎に収録禁止を指定する情報を前記管理情報とし、前記記録媒体に記録された管理情報に基づいて収録禁止が指定されたグループへの収録を禁止することをさらに特徴とする請求項１記載の映像記録装置。
【請求項５】
前記管理手段は、前記収録された素材を消去する指定を受け付け、前記指定された素材に対応する管理情報を前記記録媒体から消去することをさらに特徴とする請求項１記載の映像記録装置。
【請求項６】
前記管理手段は、前記収録された素材をグループ間で移動する指定を受け付け、前記記録媒体中の前記指定された素材に対応する管理情報のグループを表す情報を移動先のグループに変更することをさらに特徴とする請求項１記載の映像記録装置。
【請求項７】
前記管理手段は、前記収録された素材を複製する指定を受け付け、前記記録媒体中の前記指定された素材に対応する管理情報を複製することをさらに特徴とする請求項１記載の映像記録装置。
【請求項８】
映像記録装置に用いられる素材管理方法であって、
被収録素材と当該素材の属するグループの指定を受け付け、
前記被収録素材に対応付けて、前記指定されたグループを表す情報とそのグループにおける当該素材の収録順序を表す情報とを管理情報として管理し、
前記被収録素材および前記管理情報をランダムアクセス可能な記録媒体に収録し、
再生対象のグループの指定を受け付け、前記記録媒体に収録された管理情報に基づいて前記指定されたグループに属する素材を収録順序にしたがって再生することを特徴とする素材管理方法。
【発明の詳細な説明】
【技術分野】
【０００１】
この発明は、例えば、放送番組用素材の制作・編集システム等に用いられる映像記録装置及び素材管理方法に関する。
【背景技術】
【０００２】
放送局など業務用の映像記録装置において、従来、映像の記録には磁気テープを媒体として用いてきたが、半導体記録媒体の低価格化によって、フラッシュメモリ等がテープに代わって使用されるようになりつつある。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。
【０００３】
ところが、記録媒体がテープの場合は、テープの先頭から記録していくため、テープの記録位置が記録順序となる。一方、上記半導体記録媒体の場合には、空き領域に記録していくため、媒体上の記録位置と記録順序には関連性が無い。従来の番組制作システムでは、テープを記録媒体として用いるため、半導体記録媒体を用いた記録装置に置き換える場合には、テープと同様に記録した順序に再生される必要がある。
【０００４】
なお、本願に関連する公知文献としては、例えば次のようなものがある（特許文献１または２を参照。）。
【特許文献１】特開２００７−８２０２９公報
【特許文献２】特開２００１−２６６５４８公報
【発明の開示】
【発明が解決しようとする課題】
【０００５】
上述したように、一般に半導体記録媒体を用いる装置では、任意の映像を選択して再生できるなどのランダムアクセス性に主眼が置かれているが、テープを記録媒体とする従来の記録装置との操作互換性が乏しく不便である。
【０００６】
この発明は上記事情に着目してなされたもので、その目的とするところは、テープを記録媒体とする装置との互換性を保ちつつ、収録された映像を容易に管理できる映像記録装置及び素材管理方法を提供することにある。
【課題を解決するための手段】
【０００７】
上記目的を達成するためにこの発明に係わる映像記録装置は、ランダムアクセス可能な記録媒体と、被収録素材と当該素材の属するグループの指定を受け付ける受付手段と、前記被収録素材に対応付けて、前記指定されたグループを表す情報とそのグループにおける当該素材の収録順序を表す情報とを管理情報として管理する管理手段と、前記被収録素材および前記管理情報を前記記録媒体に収録する収録手段と、再生対象のグループの指定を受け付け、前記記録媒体に収録された管理情報に基づいて前記指定されたグループに属する素材を収録順序にしたがって再生する再生手段とを具備することを特徴とする。
【０００８】
また、この発明に係わる素材管理方法は、映像記録装置に用いられる素材管理方法であって、被収録素材と当該素材の属するグループの指定を受け付け、前記被収録素材に対応付けて、前記指定されたグループを表す情報とそのグループにおける当該素材の収録順序を表す情報とを管理情報として管理し、前記被収録素材および前記管理情報をランダムアクセス可能な記録媒体に収録し、再生対象のグループの指定を受け付け、前記記録媒体に収録された管理情報に基づいて前記指定されたグループに属する素材を収録順序にしたがって再生することを特徴とする。
【０００９】
上記構成による映像記録装置及び素材管理方法では、映像を記録すると共に、当該映像の属するグループと、グループにおける当該映像の記録順序を表す情報とを記録媒体に記録して管理する。これにより、半導体記録媒体上の記録位置にかかわらず、各グループ毎で記録した順序で再生することが可能となる。つまり、一つの半導体記録媒体の中に複数の仮想的なテープが存在するように扱うこともできるため、利便性の向上を図ることができる。
【発明の効果】
【００１０】
したがってこの発明によれば、テープを記録媒体とする装置との互換性を保ちつつ、収録された映像を容易に管理できる映像記録装置及び素材管理方法を提供することができる。
【発明を実施するための最良の形態】
【００１１】
以下、図面を参照しながら本発明の実施の形態を詳細に説明する。  
図１は、この発明の一実施形態に係る映像記録装置の概観図である。映像記録装置１００にはカメラ１が接続され、カメラ１により撮像された映像が映像記録装置１００に取り込まれる。取り込まれた映像は、挿入口８に挿入されるリムーバブルメディアであるメモリパック６、あるいは装置本体に内蔵される内蔵メモリ７に収録される。メモリパック６及び内蔵メモリ７は、例えばフラッシュメモリなどのランダムアクセス可能な不揮発性半導体メモリが用いられる。
【００１２】
映像記録装置１００の本体前面パネルには、映像操作部３、表示部４、画面操作部５が設けられる。表示部４は、ＬＣＤ（Liquid Crystal Display）等で構成される。収録後の映像データは、映像操作部３により再生等を行うことが可能である。映像操作部３の各種ボタン（再生・停止等）やダイヤルを操作することで、収録された映像が出力部（通常背面のコネクタに設置される）に出力され、別途本装置に接続されるモニタ装置の画面にその内容を表示することができる。
【００１３】
図２は、上記映像記録装置１００の内部構成を示す機能ブロック図である。  
装置制御部２１は、ＣＰＵ（Central Processing Unit）等のマイクロプロセッサである。装置制御部２１は、カメラ１により撮像された映像を入力インタフェース２８を介して取り込み、メディアコントローラ２５を介してメモリパック６に映像データとして収録する。あるいは、上記取り込まれた映像を内蔵メモリコントローラ２６を介して内蔵メモリ７に収録する。メモリパック６又は内蔵メモリ７に収録された映像データは、ネットワークインタフェース２７を介して外部ネットワークに送出することが可能である。
【００１４】
表示制御部２２、映像再生部２４、映像管理部２９は、装置制御部２１によって実行される制御プログラムである。映像再生部２４は、装置制御部２１による制御の下で、映像操作部３で受け付けられた指示にしたがってメモリパック６又は内蔵メモリ７に収録された映像データの再生制御を行う。再生された映像は、表示制御部２２により表示部４に出力される。また、装置制御部２１は、上記再生された映像を外部出力インタフェース２３を介して別途接続されるモニタ装置に出力する。映像管理部２９は、収録された映像データを管理するための管理情報をメモリパック６及び内蔵メモリ７にそれぞれ記録する。管理情報の詳細については後述する。
【００１５】
以下、このように構成された映像記録装置１００の映像管理方法について、実施例に従って説明する。なお、内蔵メモリ７の映像管理方法は、メモリパック６と同様であるため、以下メモリパック６について説明する。
【００１６】
（実施例１）  
実施例１は、メモリパック６に収録された映像データを収録された順序で再生する手法である。
【００１７】
図３に、磁気テープに映像を記録した場合のイメージを示す。映像Ａ，Ｂ，Ｃを順にテープに記録した場合には、テープの先頭から順に記録される。図４は、映像Ａ，Ｂ，Ｃを順に半導体記録媒体に記録した場合の記録した場合のイメージである。半導体記録媒体では、空いているエリアに記録するため、記録順序と記録位置に物理的な関連性は無い。
【００１８】
そこで、映像管理部２９は、メモリパック６に映像を収録するときに、各映像に対応した録画順序をテーブル化した管理情報をメディアコントローラ２５により記録する。図５に、メモリパック６に記録される管理情報の一例を示す。図５は、映像Ａ，Ｂ，Ｃの順で録画されたことを示す。このようにすることで、装置制御部２１は、再生時にまず管理情報を読み出し、その録画順序にしたがって映像再生部２４により映像データを再生することで録画順の再生が実現できる。また、上記管理情報をメモリパック６に記録することで、メモリパック６を取り外し他の映像記録装置等で記録する場合でも収録順序の整合を保つことができる。
【００１９】
また、図６に示すように、管理情報として、録画順序の情報の代わりに、各映像に対応した録画時刻の情報を記録するようにしても良い。この場合は、装置制御部２１は、再生時にまず録画時刻を読み出し、その時刻順にしたがって映像再生部２４により映像を再生することにより、録画順の再生が可能となる。また、映像毎に録画順序と録画時刻の両方の情報を対応付けて、記録するようにしても良い。
【００２０】
（実施例２）  
実施例２は、メモリパック６を複数のグループに区分して収録する手法である。
【００２１】
図７に、映像データを複数のグループに区分して収録したイメージを示す。映像管理部２９は、映像を収録する際に、オペレータにより指定された収録先グループを表す情報を各映像に対応付けて管理情報としてメモリパック６に記録する。図８は、メモリパック６に記録される管理情報の一例である。図８は、各映像に対応したグループ番号を記録したもので、映像Ａ，Ｂ，Ｄが録画グループ１に記録され、映像Ｃ，Ｄが録画グループ２に録画されていることを示す。このようにグループに分けて映像データを保存・管理することで一つの半導体記録媒体上に多くの映像データが記録されている場合であっても、管理しやすくなるメリットがある。
【００２２】
（実施例３）  
上記実施例１および実施例２を組み合わせたもので、メモリパック６に区分されたグループ毎に収録順序にしたがって再生する手法である。
【００２３】
図９は、各映像に対応付けて録画順序および録画時刻を表す情報と当該映像が属するグループを表す情報をテーブル化した管理情報の一例を示したものである。映像管理部２９により、このような形式で管理情報をメモリパック６に記録することにより、各グループ毎に録画順序にしたがった再生が可能となる。図９の場合、実際の録画の順序は映像Ａ，Ｂ，Ｃ，Ｄ，Ｅの順序であっても、グループ単位では、グループ１に映像がＡ，Ｂ，Ｄの順序で録画され、グループ２には映像Ｃ，Ｅの順序で記録されたことになる。
【００２４】
このようにすることで、オペレータにとっては、一つの半導体記録媒体の中に、複数の仮想的なテープが含まれるものとして考えることができる。これは従来のテープ方式に例えると、映像Ａ，Ｂをテープ１に記録し、テープ２に入れ替えて映像Ｃを記録した後、再度テープ１に交換して映像Ｄを記録、再びテープ２に交換して映像Ｅを記録した場合に相当する。この場合、テープ１を先頭から再生すると映像Ａ，Ｂ，Ｄの順に再生され、テープ２を先頭から再生すると、映像Ｃ，Ｅの順序に再生される。これは、一つの半導体記録媒体を使用しながら、二つのテープを使い分ける操作に相当する。
【００２５】
（実施例４）  
実施例４は、上記実施例２においてメモリパック６に区分されたグループ毎に予め記録容量を割り当てたものである。
【００２６】
例えば、実施例２ではメモリパック６の空きエリアを順に使用して行くため、上記図７のようにグループ２には映像がＣ，Ｅの二つしか記録されていない場合でも、グループ１へ記録を続けることで、メモリパック６の全て記録エリアを使い切ってしまい、グループ２には新たな録画が出来なくなってしまうおそれがある。
【００２７】
そこで、映像管理部２９は、さらに管理情報として、グループ毎に予め割り当てられた記録容量（または記録時間）を表す情報をメモリパック６に記録する。これにより、図１０に示すように、各グループ毎に録画できる領域を予め確保することが可能となる。装置制御部２１は、この管理情報に基づいて各グループに割り当てられた決められた記録容量（または記録時間）以上の録画を出来ないようにメディアコントローラ２５を制御することができる。
【００２８】
例えば、図１０において、グループ１は、映像Ａ，Ｂ，Ｄを録画し、予め設定した記録容量を全て使用してしまったが、グループ２、およびグループ３に対しては、まだ録画可能である。このような方式により、メモリパック６内の仮想的テープが個別に収録可能時間を持つことができ、より現実のテープに近い運用が可能となる。
【００２９】
さらに、映像管理部２９は、映像の収録中に当該グループに割り当てられた記録容量（または記録時間）に達した場合に、管理情報に新たなグループを作成して引き続きメディアコントローラ２５に収録させるようにすることも可能である。このようにすることで、収録中のテープを使い切ったので、続きを新しいテープに記録するというような運用が可能となる。
【００３０】
（実施例５）  
実施例５は、上記実施例３においてメモリパック６に区分されたグループ毎に記録の禁止設定を行うものである。
【００３１】
図１１は、図９に示した管理情報に加えて、グループ毎の録画の許可／禁止フラグを持たせた例を示したものである。このような形式で映像管理部２９により管理情報をメモリパック６に記録しておくことにより、装置制御部２１は管理情報に基づいてグループ毎に録画を禁止することが可能となる。図１１の例では、装置制御部２１は、録画禁止となっているグループ２に対しては新たな映像の録画は実行しないが、録画許可となっているグループ１に対しては録画を実行することが可能である。また、これとは別にメモリパック毎に、つまり半導体記録媒体全体に対して、記録の許可／禁止の情報を持つようにしてもよい。
【００３２】
（実施例６）  
実施例６は、メモリパック６に収録された映像データに対する操作（消去、移動、コピー）の手法である。
【００３３】
図１２は、一つのメモリパック６の中での映像データの消去、グループ間での移動、グループ間でのコピーの例を示す図である。グループ１に映像Ａ，Ｂ，Ｄが記録され、グループ２には映像Ｃ，Ｅが記録されている状態から、グループ２内の映像Ｅを消去、グループ１内の映像Ｂをグループ２に移動、グループ１内の映像Ｄをグループ２にコピーした場合の例を示す。
【００３４】
収録された映像データは、図１３に示すようなメモリパック６に記録された管理情報によって管理されているため、これらの操作は、管理情報を更新さえすれば、実際に収録されている映像データを消去、コピー、移動する必要はない。例えば、グループ２内の映像Ｅを消去する場合には、映像管理部２９は、メモリパック６に記録された管理情報からグループ２内の映像Ｅに関する情報を削除する。また、グループ１内の映像Ｂをグループ２に移動する場合には、映像管理部２９は、メモリパック６に記録された管理情報においてグループ１内の映像Ｂの情報を削除してグループ２に追加する。また、グループ１内の映像Ｄをグループ２にコピーする場合は、映像管理部２９は、メモリパック６に記録された管理情報においてグループ１内の映像Ｄと同じ情報をグループ２にも追加する。
【００３５】
図１３に示した例では、上記の動作を行う際に、録画時刻の変更は行わず、録画時刻の情報を元に録画順序を再決定しているが、コピーや移動を行った際には、新たな録画として認識し、録画時刻をコピーあるいは移動操作を行った時刻に変更してもよい。また消去対象のグループを指定して、メモリパック６に記録された管理情報から当該グループに属する全ての映像に対応する情報を削除するようにすることもできる。
【００３６】
以上述べたように上記実施形態によれば、メモリパック６に映像を記録すると共に、映像を記録した時刻や順序などの情報もメモリパック６に記録して管理することにより、メモリパック６上の記録位置に関らず、記録した順序で再生することを可能とする。また、記録した映像をグループに分けて管理することにより、各グループ毎で記録順に再生できる。つまり、一つの半導体記録媒体の中に複数の仮想的なテープが存在するように扱うこともできるため、使い勝手が向上する。
【００３７】
したがって上記実施形態によれば、テープを記録媒体とする装置との互換性を保ちつつ、収録された映像を容易に管理できる映像記録装置を提供することが可能となる。また、上記管理情報をメモリパック６に記録することで、メモリパック６を取り外し他の映像記録装置等で記録／再生等する場合でも、収録順序やグループ管理の整合を保たれるため、番組制作効率の向上を図ることができる。
【００３８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３９】
【図１】この発明の一実施形態に係る映像記録装置の概観図。
【図２】図１に示す映像記録装置の内部構成を示す機能ブロック図。
【図３】磁気テープに映像を記録した場合のイメージを示す図。
【図４】半導体記録媒体に映像を記録した場合のイメージを示す図。
【図５】実施例１においてメモリパックに記録される管理情報の一例を示す図。
【図６】実施例１においてメモリパックに記録される管理情報の他の例を示す図。
【図７】実施例２において映像データを複数のグループに区分して収録したイメージを示す図。
【図８】実施例２においてメモリパックに記録される管理情報の一例を示す図。
【図９】実施例３においてメモリパックに記録される管理情報の一例を示す図。
【図１０】実施例４においてメモリパックに区分されたグループ毎に予め記録容量を割り当てたイメージを示す図。
【図１１】実施例５においてメモリパックに記録される管理情報の一例を示す図。
【図１２】実施例６においてメモリパックに収録された映像データに対する操作の一例を示す図。
【図１３】実施例６において映像に対する操作により更新されるメモリパック内の管理情報の一例を示す図。
【符号の説明】
【００４０】
１００…映像記録装置、１…カメラ、３…映像操作部、４…表示部、５…画面操作部、６…メモリパック、７…内蔵メモリ、８…挿入口、２１…装置制御部、２２…表示制御部、１３…外部出力インタフェース、２４…映像再生部、２５…メディアコントローラ、２６…内蔵メモリコントローラ、２７…ネットワークインタフェース、２８…入力インタフェース、２９…映像管理部。
【図１】
2009123293.tif 000003
【図２】
2009123293.tif 000004
【図３】
2009123293.tif 000005
【図４】
2009123293.tif 000006
【図５】
2009123293.tif 000007
【図６】
2009123293.tif 000008
【図７】
2009123293.tif 000009
【図８】
2009123293.tif 000010
【図９】
2009123293.tif 000011
【図１０】
2009123293.tif 000012
【図１１】
2009123293.tif 000013
【図１２】
2009123293.tif 000014
【図１３】
2009123293.tif 000015